(57)【特許請求の範囲】
【請求項１】
搬送経路に沿って搬送される原稿の一方面の画像を読取る第１読取部と、
前記搬送経路に沿って搬送される前記原稿の他方面の画像を読取る第２読取部と、
前記第１読取部よりも前記原稿の搬送方向上流側に配置され、前記原稿の先端及び後端を検出する第１原稿端検出部と、
前記第２読取部よりも前記原稿の搬送方向上流側に配置され、前記原稿の先端及び後端を検出する第２原稿端検出部と、
前記第１原稿端検出部の検出出力に基づき前記先端及び後端の検出時点を判定して、これらの検出時点に基づき前記第１読取部による前記原稿の読取期間を設定すると共に、前記第２原稿端検出部の検出出力に基づき前記先端及び後端の検出時点を判定して、これらの検出時点に基づき前記第２読取部による前記原稿の読取期間を設定する制御部とを備え、
前記第１原稿端検出部及び前記第２原稿端検出部は、前記原稿の搬送方向と直交する方向において互いに異なる位置で前記原稿の先端及び後端を検出し、
前記制御部は、前記第２原稿端検出部の検出出力に基づき前記後端の検出時点を判定し、この検出時点から規定時間が経過するまでに、前記第２原稿端検出部の検出出力に基づき前記後端の検出時点を再度判定すると、この再度判定した前記後端の検出時点を前記第２読取部による前記原稿の読取期間の設定のために用い、
前記第２読取部が前記第１読取部よりも前記原稿の搬送方向上流側に配置されており、
前記制御部は、前記第２読取部による前記原稿の読取期間を設定した後、前記第１原稿端検出部の検出出力に基づき前記後端の検出時点を判定し、この検出時点から規定時間が経過するまでに、前記第１原稿端検出部の検出出力に基づき前記後端の検出時点を再度判定した場合に、前記第１読取部による前記原稿の読取期間を、前記第２読取部による前記原稿の読取期間と同一長さに設定する原稿読取装置。
【請求項２】
前記制御部は、前記第２原稿端検出部の検出出力に基づき前記後端の検出時点を判定し、この検出時点から規定時間が経過するまでに、前記第２原稿端検出部の検出出力に基づき前記後端の検出時点を再度判定した場合は、前記第２原稿端検出部の検出出力に基づく前記先端の検出時点から、当該再度判定された前記後端の検出時点までの経過時間が、定型の各用紙サイズについて予め定められた経過時間のいずれかに一致する場合にのみ、当該再度判定した前記後端の検出時点を前記第２読取部による前記原稿の読取期間の設定のために用いる請求項１に記載の原稿読取装置。
【請求項３】
請求項１又は請求項２に記載の原稿読取装置と、
前記原稿読取装置により読取られた前記原稿の画像を記録紙に記録する画像形成部と、を備える画像形成装置。
【発明の詳細な説明】
【技術分野】
【０００１】
本発明は、原稿を搬送しながら原稿の画像を読み取る原稿読取装置、及び画像形成装置に関する。
【背景技術】
【０００２】
原稿読取装置には、原稿の両面側にそれぞれ読取部が設けられ、搬送される原稿の両面を同時に読み取る方式が採用されたものがある。このような原稿読取装置においては、一般に、原稿の一方面を読み取る読取ユニットとしてＣＩＳ（Contact Image Sensor）が用いられ、また原稿の他方面を読み取る読取ユニットとしてＣＣＤ（Charge coupled Device）が用いられることが多い。
【０００３】
一方、特許文献１に記載の原稿読取装置では、読み取った複数の原稿の画像を比較することにより、各原稿の同じ位置に形成された共通パターンを検出し、原稿の画像からその共通パターンを除外して、この除外の後の画像に基づき該原稿が白紙か非白紙かを判定し、これにより原稿の白紙判定を正確に行うようにしている。
【先行技術文献】
【特許文献】
【０００４】
【特許文献１】特開２０１６−１６０８８５号公報
【発明の概要】
【発明が解決しようとする課題】
【０００５】
ところで、上記のように原稿の両面をそれぞれの読取部により読取る原稿読取装置では、各読取部別に、読取部よりも原稿の搬送方向上流側に、原稿の先端及び後端を検出する原稿端検出部を設け、この原稿端検出部による原稿の先端及び後端の検出時点に基づき原稿の読取期間を設定している。
【０００６】
しかしながら、原稿の後端側にパンチ孔等の穿孔が形成されていた場合は、原稿端検出部によりその穿孔の内周縁が原稿の後端と間違われて誤検出され、原稿の後端の検出時点にずれが生じて、原稿の読取期間が短く設定されることがあった。そして、各原稿端検出部の一方のみに誤検出が生じると、一方の読取部による原稿の読取期間のみが短く設定され、この結果、各読取部によるそれぞれの読取期間に差が生じて、各読取部により読取られた原稿の両面の画像の長さが一致しないという問題が発生した。
【０００７】
また、上記特許文献１のように原稿の画像から共通パターンを除外するという技術は、画像処理を応用したものであるが、上記のように原稿の読取期間が短くなった場合は、穿孔そのものが読み取られることはなく、よって画像処理により対応することができない。
【０００８】
本発明は、上記の事情に鑑みなされたものであり、原稿の後端側にパンチ孔等の穿孔が形成されていても、各読取部により読取られた原稿の両面の画像の長さを一致させることが可能な原稿読取装置及び画像形成装置を提供することを目的とする。
【課題を解決するための手段】
【０００９】
本発明の一局面に係る原稿読取装置は、搬送経路に沿って搬送される原稿の一方面の画像を読取る第１読取部と、前記搬送経路に沿って搬送される前記原稿の他方面の画像を読取る第２読取部と、前記第１読取部よりも前記原稿の搬送方向上流側に配置され、前記原稿の先端及び後端を検出する第１原稿端検出部と、前記第２読取部よりも前記原稿の搬送方向上流側に配置され、前記原稿の先端及び後端を検出する第２原稿端検出部と、前記第１原稿端検出部の検出出力に基づき前記先端及び後端の検出時点を判定して、これらの検出時点に基づき前記第１読取部による前記原稿の読取期間を設定すると共に、前記第２原稿端検出部の検出出力に基づき前記先端及び後端の検出時点を判定して、これらの検出時点に基づき前記第２読取部による前記原稿の読取期間を設定する制御部とを備え、前記第１原稿端検出部及び前記第２原稿端検出部は、前記原稿の搬送方向と直交する方向において互いに異なる位置で前記原稿の先端及び後端を検出し、前記制御部は、前記第２原稿端検出部の検出出力に基づき前記後端の検出時点を判定し、この検出時点から規定時間が経過するまでに、前記第２原稿端検出部の検出出力に基づき前記後端の検出時点を再度判定すると、この再度判定した前記後端の検出時点を前記第２読取部による前記原稿の読取期間の設定のために用い、前記第２読取部が前記第１読取部よりも前記原稿の搬送方向上流側に配置されており、前記制御部は、前記第２読取部による前記原稿の読取期間を設定した後、前記第１原稿端検出部の検出出力に基づき前記後端の検出時点を判定し、この検出時点から規定時間が経過するまでに、前記第１原稿端検出部の検出出力に基づき前記後端の検出時点を再度判定した場合に、前記第１読取部による前記原稿の読取期間を、前記第２読取部による前記原稿の読取期間と同一長さに設定する原稿読取装置である。
【００１０】
本発明の一局面に係る画像形成装置は、上記本発明の原稿読取置と、前記原稿読取装置により読取られた前記原稿の画像を記録紙に記録する画像形成部と、を備える画像形成装置である。
【発明の効果】
【００１１】
本発明によれば、原稿の後端側にパンチ孔等の穿孔が形成されていても、各読取部により読取られた原稿の両面の画像の長さを一致させることができる。
【図面の簡単な説明】
【００１２】
【図１】本発明に係る第１実施形態の原稿読取装置を備える画像形成装置を示す断面図である。
【図２】原稿読取装置を示す断面図である。
【図３】原稿読取装置における第２読取部を示す断面図である。
【図４】（ａ）（ｂ）（ｃ）は、穿孔が形成された原稿、第２読取部による原稿の読取動作を示すタイミングチャート、及び第１読取部による原稿の読取動作を示すタイミングチャートである。
【図５】（ａ）（ｂ）（ｃ）は、別の穿孔が形成された原稿、第２読取部による原稿の読取動作を示すタイミングチャート、及び第１読取部による原稿の読取動作を示すタイミングチャートである。
【図６】第１実施形態の原稿読取装置による読取りの処理を示すフローチャートである。
【図７】第２実施形態の原稿読取装置による読取りの処理を示すフローチャートである。
【発明を実施するための形態】
【００１３】
以下、本発明の実施形態について図面を参照して説明する。
【００１４】
図１は、本発明に係る第１実施形態の原稿読取装置が適用された画像形成装置を示す断面図である。この画像形成装置１は、例えば、コピー機能、プリンター機能、スキャナー機能、及びファクシミリ機能のような複数の機能を兼ね備えた複合機である。画像形成装置１は、装置本体２に、操作部４７、画像形成部１２０、定着部１３、給紙部１４、及び第１実施形態の原稿読取装置（ＩＳＵ;Image scanner unit）５等を備えて構成される。
【００１５】
操作部４７は、画像形成装置１が実行可能な各種動作及び処理について利用者から画像形成動作実行指示や画像読取り動作実行指示等の指示を受け付ける。
【００１６】
画像読取り動作を行う場合、原稿読取装置５は、原稿の画像を光学的に読み取って、画像データを生成する。
【００１７】
画像形成動作を行う場合、画像形成部１２０は、上記の画像読取り動作により生成された画像データ、ネットワーク接続されたコンピューターやスマートフォン等のユーザー端末装置から受信した画像データ、又は内蔵ＨＤＤに記憶されている画像データ等に基づいて、給紙部１４から給紙される記録媒体としての記録紙Ｐにトナー像を形成する。
【００１８】
画像形成部１２０の画像形成ユニット１２Ｍ、１２Ｃ、１２Ｙ、及び１２Ｂｋは、感光体ドラム１２２と、感光体ドラム１２２の表面を均一に帯電させる帯電装置と、感光体ドラム１２２の表面を露光して、その表面に静電潜像を形成する露光装置（ＬＳＵ;Laser scanning units）１２３と、感光体ドラム１２２の表面の静電潜像をトナー像に現像する現像装置と、１次転写ローラー１２６とをそれぞれ備えている。
【００１９】
カラー印刷を行う場合、画像形成部１２０のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋにおいては、感光体ドラム１２２の表面を均一に帯電させてから露光して、その表面にカラーの色成分の画像に対応する静電潜像を形成し、感光体ドラム１２２の表面の静電潜像をその色成分のトナーにより現像して、感光体ドラム１２２上にトナー像を形成し、トナー像を１次転写ローラー１２６により、駆動ローラー１２５Ａ及び従動ローラー１２５Ｂに張架されている中間転写ベルト１２５上に１次転写させる。
【００２０】
中間転写ベルト１２５上に転写される各色のトナー画像は、転写時点を調整して中間転写ベルト１２５上で重ね合わされ、カラーのトナー像となる。２次転写ローラー２１０は、中間転写ベルト１２５の表面に形成されたカラーのトナー像を、中間転写ベルト１２５との間のニップ部Ｎにおいて、給紙部１４から搬送路１９０を通じて搬送されてきた記録紙Ｐに２次転写させる。この後、定着部１３が、熱圧着により記録紙Ｐ上のトナー像を記録紙Ｐに定着させる。定着処理の完了したカラー画像形成済みの記録紙Ｐは、排出トレイ１５１に排出される。
【００２１】
図２は、本発明の第１実施形態の原稿読取装置を示す断面図である。図２に示すように、原稿読取装置５は、原稿給送部６、第１読取部３０、及び原稿給送部６に内蔵された第２読取部４０を備えている。
【００２２】
原稿給送部６では、原稿給紙トレイ２１に載置された原稿ＭＳを１枚ずつ引出して、原稿ＭＳを第２読取部４０のコンタクトガラス（図示せず）に沿って搬送し、引き続いて原稿ＭＳを第１読取部３０の第１コンタクトガラス３１上を通じて搬送し、更に原稿ＭＳを原稿排紙トレイ２７に排出する。この原稿ＭＳの搬送に際し、第２読取部４０により原稿ＭＳの裏面の画像が読取られ、第１読取部３０により原稿ＭＳの表面の画像が読取られる。
【００２３】
また、原稿給送部６は、第１読取部３０の上面にヒンジ等によって開閉可能に設けられており、第１読取部３０の第２コンタクトガラス３２上に載置された原稿ＭＳを押さえる原稿押さえカバーとして機能する。この場合は、第１読取部３０は、第２コンタクトガラス３２上に載置された原稿ＭＳの片面の画像を読み取る。
【００２４】
原稿給送部６は、原稿ＭＳが載置される原稿給紙トレイ２１、ピックアップローラー２２、原稿搬送路２３に沿って配置された複数の搬送ローラー対２４、排紙ローラー対２５、第２読取部４０に対向配置されたシェーディングローラー２６、原稿排紙トレイ２７、第１原稿端センサー２８、及び第２原稿端センサー２９等を備えている。
【００２５】
原稿給送部６では、ピックアップローラー２２により原稿ＭＳが原稿給紙トレイ２１から引出され、複数の搬送ローラー対２４及びシェーディングローラー２６により原稿ＭＳが原稿搬送路２３に沿って搬送されて第１コンタクトガラス３１上を通過し、排紙ローラー対２５により原稿ＭＳが原稿排紙トレイ２７に排出される。
【００２６】
第２原稿端センサー２９は、第２読取部４０よりも原稿ＭＳの搬送方向上流側の検出位置で、該原稿ＭＳの先端及び後端を検出する。従って、第２原稿端センサー２９により原稿ＭＳの先端が検出された後に、第２読取部４０の読取位置に原稿ＭＳが到達し、第２原稿端センサー２９により原稿ＭＳの後端が検出された後に、第２読取部４０の読取位置から原稿ＭＳが離れる。この第２原稿端センサー２９による原稿ＭＳの先端及び後端の検出時点に応じて第２読取部４０の読取期間Ｔ２が設定され、この読取期間Ｔ２において、第２読取部４０により原稿ＭＳの裏面の画像が読取られる。
【００２７】
また、第１原稿端センサー２８は、第１読取部３０の第１コンタクトガラス３１よりも原稿ＭＳの搬送方向上流側の検出位置で、該原稿ＭＳの先端及び後端を検出する。従って、第１原稿端センサー２８により原稿ＭＳの先端が検出された後に、第１読取部３０の読取位置（第１コンタクトガラス３１）に原稿ＭＳが到達し、第１原稿端センサー２８により原稿ＭＳの後端が検出された後に、第１読取部３０の読取位置から原稿ＭＳが離れる。この第１原稿端センサー２８による原稿ＭＳの先端及び後端の検出時点に応じて第１読取部３０の読取期間Ｔ１が設定され、この読取期間Ｔ１において、第１読取部３０により原稿ＭＳの表面の画像が読取られる。
【００２８】
第１原稿端センサー２８及び第２原稿端センサー２９は、例えば、発光素子及び受光素子を組み合わせてなる反射型光センサー又は透過型光センサーである。
【００２９】
第１読取部３０は、第１コンタクトガラス３１、第２コンタクトガラス３２、白色基準板３３、キャリッジ３４、光学系ユニット３５、集光レンズ３６、及びＣＣＤ（Charge Coupled Device）センサー３７等を備えている。
【００３０】
キャリッジ３４は、原稿ＭＳに光を照射するライン状のＬＥＤ（Light Emitting Diode）アレイ３４Ａと、原稿ＭＳで反射された光を反射するミラー３４Ｃとを備えている。
【００３１】
光学系ユニット３５は、ミラー３５Ａと、ミラー３５Ｂとを備えている。ミラー３５Ａは、キャリッジ３４のミラー３４Ｃで反射された光を受けて、さらに略垂直下方に方向転換させる。ミラー３５Ｂは、ミラー３５Ａで反射された光を、さらに略水平方向に方向転換させて、集光レンズ３６を通じてＣＣＤセンサー３７へと導く。
【００３２】
キャリッジ３４及び光学系ユニット３５は、図示されていない機構によりレールに沿って主走査方向と直交する副走査方向に往復移動される。
【００３３】
ここで、原稿給送部６により原稿ＭＳを搬送しつつ、第１読取部３０により原稿ＭＳの表面を読取る場合は、図２に示すようにキャリッジ３４及び光学系ユニット３５を位置決めする。この状態で、原稿給送部６では、原稿ＭＳが、原稿給紙トレイ２１から引出されて第１コンタクトガラス３１上を通過し、更に原稿排紙トレイ２７へと排出される。
【００３４】
このとき、第１読取部３０では、キャリッジ３４のＬＥＤアレイ３４Ａの光を、第１コンタクトガラス３１上を通過する原稿ＭＳの表面に照射し、原稿ＭＳの表面で反射された光をキャリッジ３４のミラー３４Ｃで反射する。更に、この光は、光学系ユニット３５のミラー３５Ａ及びミラー３５Ｂで反射されて、集光レンズ３６を通じてＣＣＤセンサー３７に入射する。集光レンズ３６はＣＣＤセンサー３７の受光面に原稿ＭＳの表面の画像を結像し、ＣＣＤセンサー３７は原稿ＭＳの表面の画像を読取る。
【００３５】
また、第２コンタクトガラス３２上に載置された原稿ＭＳを読み取る場合は、キャリッジ３４及び光学系ユニット３５を所定の速度関係を維持して副走査方向に移動させつつ、ＬＥＤアレイ３４Ａの光を第２コンタクトガラス３２上の原稿ＭＳに照射し、原稿ＭＳで反射された光をミラー３４Ｃ、ミラー３５Ａ、及びミラー３５Ｂで順次反射させて、集光レンズ３６を通じてＣＣＤセンサー３７に入射させ、ＣＣＤセンサー３７により原稿ＭＳの画像を読取る。
【００３６】
一方、第２読取部４０は、密着型イメージセンサー（ＣＩＳ（Contact Image Sensor））と称されるものであって、コンタクトガラスの表面に沿って搬送される原稿ＭＳの裏面の画像を、該コンタクトガラスを介して主走査方向に読み取る。第２読取部４０では、例えば、ＬＥＤ（Light Emitting Diode）の光を、コンタクトガラスを介して原稿ＭＳの裏面に照射し、原稿ＭＳの裏面からの反射光をＣＭＯＳ（Complementary Metal Oxide Semiconductor）イメージセンサーで受光し、ＣＭＯＳイメージセンサーにより原稿ＭＳの表面の画像を読取る。
【００３７】
第１読取部３０のＣＣＤセンサー３７及び第２読取部４０のＣＭＯＳイメージセンサーは、受光した反射光を電気信号に変換して、原稿ＭＳの画像を示す画像信号を出力する。この画像信号が画像データにＤ／Ａ変換され、この画像データに対して、さらにシェーディング補正、ガンマ補正、色収差補正、ＭＴＦ（Modulation Transfer Function）補正およびスキャナー色補正等の様々な画像処理が施される。
【００３８】
なお、第１読取部３０は、特許請求の範囲における第１読取部の一例であり、第２読取部４０は、特許請求の範囲における第２読取部の一例である。また、第１原稿端センサー２８は、特許請求の範囲における第１原稿端検出部の一例であり、第２原稿端センサー２９は、特許請求の範囲における第２原稿端検出部の一例である。
【００３９】
次に、画像形成装置１の制御に係る構成について説明する。図３は、画像形成装置１の主要内部構成を示す機能ブロック図である。図３において、画像形成装置１は、制御ユニット６０、原稿読取装置５、定着部１３、画像形成部１２０、操作部４７、画像メモリー６２、ＨＤＤ６３、ファクシミリ通信部６４、及びネットワークインターフェイス部６６等を備えて構成される。なお、図１を用いて説明した構成要素と同じものには同じ符号を付している。
【００４０】
制御ユニット６０は、ＣＰＵ(Central Processing Unit)、ＲＡＭ、ＲＯＭ及び専用のハードウェア回路等から構成される。制御ユニット６０は、主制御部６１を備える。
【００４１】
主制御部６１は、制御ユニット６０、原稿読取装置５、定着部１３、画像形成部１２０、操作部４７、画像メモリー６２、ＨＤＤ６３、ファクシミリ通信部６４、及びネットワークインターフェイス部６６等と接続され、これらの制御を行って、画像形成装置１の全体的を制御する。
【００４２】
原稿読取装置５は、原稿給送部６、第１読取部３０、第２読取部４０、第１原稿端センサー２８、第２原稿端センサー２９、及び画像形成装置１の主制御部６１と協働しつつ原稿読取装置５を制御する読取制御部５１を備えている。読取制御部５１は、特許請求の範囲における制御部の一例である。
【００４３】
このような構成において、利用者は、操作部４７を操作することによりファクシミリ通信機能、コピー機能、プリンター機能、およびスキャナー機能のいずれかを選択して動作させることができる。例えば、操作部４７の操作により原稿ＭＳの片面（表面）のコピーの開始が指示されると、主制御部６１は、原稿給送部６により原稿ＭＳを搬送させて、第１読取部３０により原稿ＭＳの表面の画像を読取らせ、画像形成部１２０等により原稿ＭＳの表面の画像を記録紙の片面に印刷させる。また、操作部４７の操作により原稿ＭＳの両面のコピーの開始が指示されると、主制御部６１は、原稿給送部６により原稿ＭＳを搬送させて、第２読取部４０により原稿ＭＳの裏面の画像を読取らせ、引き続いて第１読取部３０により原稿ＭＳの表面の画像を読取らせ、画像形成部１２０等により原稿ＭＳの両面の画像を記録紙の両面に印刷させる。
【００４４】
ところで、図４（ａ）に示すように第１原稿端センサー２８と第２原稿端センサー２９は、原稿ＭＳの搬送方向（副走査方向）と直交する主走査方向において互いに異なる位置に配置されており、原稿ＭＳの先端及び後端を検出するそれぞれの検出位置ｍ１、ｍ２も互いに異なっている。このため、原稿ＭＳの後端側にパンチ孔等の穿孔ｈが形成されている場合は、原稿ＭＳの後端側の穿孔ｈが第２原稿端センサー２９の検出位置ｍ２を通って、第２原稿端センサー２９により穿孔ｈが検出され、その一方で原稿ＭＳの後端側の穿孔ｈが第１原稿端センサー２８の検出位置ｍ１から外れて、第１原稿端センサー２８により穿孔ｈが検出されないことがある。この場合は、第２原稿端センサー２９により原稿ＭＳの後端側の穿孔ｈの内周縁及び該原稿ＭＳの後端が検出され、また第１原稿端センサー２８により原稿ＭＳの後端のみが検出される。
【００４５】
図４（ｂ）、（ｃ）は、原稿ＭＳの後端側の穿孔ｈの内周縁及び該原稿ＭＳの後端を検出した第２原稿端センサー２９の検出信号Ｖ２と（図４（ｂ））、原稿ＭＳの後端のみを検出した第１原稿端センサー２８の検出信号Ｖ１と（図４（ｃ））を比較して示している。第２原稿端センサー２９の検出信号Ｖ２は、原稿ＭＳの先端の検出時点ｔｖ２１でオンとなり、原稿ＭＳの後端側の穿孔ｈの内周縁に応じて検出時点ｔｖ２ａで一旦オフとなってからオンに切替わり、この後に原稿ＭＳの後端の検出時点ｔｖ２２で再びオフとなっている。また、第１原稿端センサー２８の検出信号Ｖ１は、原稿ＭＳの先端の検出時点ｔｖ１１でオンとなり、原稿ＭＳの後端の検出時点ｔｖ１２でオフとなる。
【００４６】
従来は、各検出信号Ｖ１、Ｖ２がオンとなった時点ｔｖ１１、ｔｖ２１及び各検出信号Ｖ１、Ｖ２がオフとなった最初の時点ｔｖ１２、ｔｖ２ａに対応する原稿ＭＳの読取期間Ｔ１、Ｔ２´を設定しており、このために原稿ＭＳの表面の画像の読取期間Ｔ１と原稿ＭＳの裏面の画像の読取期間Ｔ２´に差が生じ、表面の画像の長さと裏面の画像の長さが異なるという問題が発生した。具体的には、原稿ＭＳの表面の画像には穿孔ｈの像が含まれ、原稿ＭＳの裏面の画像には穿孔ｈの像が含まれないという事態となった。
【００４７】
なお、図５（ａ）、（ｂ）、（ｃ）から明らかなように原稿ＭＳの後端側の穿孔ｈが第２原稿端センサー２９の検出位置ｍ２から外れて、第２原稿端センサー２９により穿孔ｈが検出されず、原稿ＭＳの後端側の穿孔ｈが第１原稿端センサー２８の検出位置ｍ１を通って、第１原稿端センサー２８により穿孔ｈが検出された場合は、原稿ＭＳの表面の画像の読取期間Ｔ１´と原稿ＭＳの裏面の画像の読取期間Ｔ２に差が生じて、同様の問題が発生する。
【００４８】
そこで、本実施形態では、原稿ＭＳの後端側に穿孔ｈが形成されていても、原稿ＭＳの表面の画像の読取期間Ｔ１と原稿ＭＳの裏面の画像の読取期間Ｔ２とを一致させて、第１読取部３０により読取られた原稿ＭＳの表面の画像の長さと第２読取部４０により読取られた原稿ＭＳの裏面の画像の長さを一致させている。
【００４９】
次に、図６のフローチャートに従って、それぞれの読取期間Ｔ１、Ｔ２を一致させるための処理手順を説明する。
【００５０】
まず、読取制御部５１は、原稿給送部６を駆動制御して、原稿給紙トレイ２１から原稿ＭＳを引出して搬送させる。この原稿ＭＳは、第２原稿端センサー２９による検出位置、第２読取部４０による読取位置、第１原稿端センサー２８による検出位置、及び第１読取部３０による読取位置（第１コンタクトガラス３１の位置）を順次通過し、原稿排紙トレイ２７に排出される。
【００５１】
この原稿ＭＳの搬送に際し、読取制御部５１は、第２原稿端センサー２９の検出信号Ｖ２がオンになるのを待機しており（ステップＳ１１「Ｎｏ」）、第２原稿端センサー２９により原稿ＭＳの先端が検出されて、第２原稿端センサー２９の検出信号Ｖ２がオンになると（ステップＳ１１「Ｙｅｓ」）、この原稿ＭＳの先端の検出時点ｔｖ２１に対応する第２読取部４０による原稿ＭＳの読取開始時点ｔｓ２１を設定し（ステップＳ１２）、この読取開始時点ｔｓ２１より読取期間Ｔ２を示す同期信号Ｖｓｙ２をオンにして、第２読取部４０による原稿ＭＳの読取を開始させる（ステップＳ１３）。
【００５２】
同様に、読取制御部５１は、第１原稿端センサー２８の検出信号Ｖ１がオンになるのを待機しており（ステップＳ１４「Ｎｏ」）、第１原稿端センサー２８により原稿ＭＳの先端が検出されて、第１原稿端センサー２８の検出信号Ｖ１がオンになると（ステップＳ１４「Ｙｅｓ」）、この原稿ＭＳの先端の検出時点ｔｖ１１に対応する第１読取部３０による原稿ＭＳの読取開始時点ｔｓ１１を設定し（ステップＳ１５）、この読取開始時点ｔｓ１１より読取期間Ｔ１を示す同期信号Ｖｓｙ１をオンにして、第１読取部３０による原稿ＭＳの読取を開始させる（ステップＳ１６）。
【００５３】
例えば、図４（ａ）、（ｂ）に示すように第２原稿端センサー２９による原稿ＭＳの先端の検出時点ｔｖ２１に一定時間Δｔｔを加算して、第２読取部４０による読取開始時点ｔｓ２を設定し、また図４（ａ）、（ｃ）に示すように第１原稿端センサー２８による原稿ＭＳの先端の検出時点ｔｖ１１に一定時間Δｔｔを加算して、第１読取部３０による読取開始時点ｔｓ１１を設定する。
【００５４】
引き続いて、読取制御部５１は、第２原稿端センサー２９の検出信号Ｖ２がオフになるのを待機しており（ステップＳ１７「Ｎｏ」）、第２原稿端センサー２９の検出信号Ｖ２がオフになると（ステップＳ１７「Ｙｅｓ」）、例えば内蔵するタイマーにより、このオフの時点より計時を開始して、この計時時間が規定時間ｔｙを超えるまで、第２原稿端センサー２９の検出信号Ｖ２がオンとなってから再びオフになるか否かを監視する（ステップＳ１８、１９）。
【００５５】
例えば、第２原稿端センサー２９の検出信号Ｖ２がオンとなってから再びオフになることなく、計時時間が規定時間ｔｙを超えたものとすると（ステップＳ１８「Ｎｏ」、ステップＳ１９「Ｙｅｓ」）、読取制御部５１は、ステップＳ１７において第２原稿端センサー２９の検出信号Ｖ２が最初にオフとなった時点を第２原稿端センサー２９による原稿ＭＳの後端の検出時点ｔｖ２２であるとみなし、この原稿ＭＳの後端の検出時点ｔｖ２２に対応する第２読取部４０による原稿ＭＳの読取終了時点ｔｓ２２を設定し（ステップＳ２０）、この読取終了時点ｔｓ２２で読取期間Ｔ２を示す同期信号Ｖｓｙ２をオフにして、第２読取部４０による原稿ＭＳの読取を終了させる（ステップＳ２１）。
【００５６】
ここで、図５（ａ）に示すように原稿ＭＳの後端側の穿孔ｈが第２原稿端センサー２９の検出位置ｍ２から外れて、第２原稿端センサー２９により原稿ＭＳの後端側の穿孔ｈが検出されない状態では、図５（ｂ）に示すように第２原稿端センサー２９の検出信号Ｖ２が、該第２原稿端センサー２９による原稿ＭＳの後端の検出時点ｔｖ２２でオフとなった後に、オン及びオフになることはない。このため、第２原稿端センサー２９の検出信号Ｖ２が最初にオフとなった時点を第２原稿端センサー２９による原稿ＭＳの後端の検出時点ｔｖ２２であるとみなしている。
【００５７】
そして、第２原稿端センサー２９による原稿ＭＳの後端の検出時点ｔｖ２２に一定時間Δｔｔを加算して、第２読取部４０による読取終了時点ｔｓ２２を設定し、読取開始時点ｔｓ２１から読取終了時点ｔｓ２２までを、第２読取部４０による原稿ＭＳの裏面の読取期間Ｔ２とし、読取期間Ｔ２において第２読取部４０により原稿ＭＳの裏面の画像を読取らせている。
【００５８】
また、計時時間が規定時間ｔｙを超える前に、第２原稿端センサー２９の検出信号Ｖ２がオンとなってから再びオフになった場合（ステップＳ１８「Ｙｅｓ」、ステップＳ１９「Ｎｏ」）、読取制御部５１は、この検出信号Ｖ２が再びオフとなった時点を第２原稿端センサー２９による原稿ＭＳの後端の検出時点ｔｖ２２であるとみなして、この原稿ＭＳの後端の検出時点ｔｖ２２に対応する第２読取部４０による原稿ＭＳの読取終了時点ｔｓ２２を設定し（ステップＳ２２）、この読取終了時点ｔｓ２２で読取期間Ｔ２を示す同期信号Ｖｓｙ２をオフにして、第２読取部４０による原稿ＭＳの読取を終了させる（ステップＳ２１）。
【００５９】
ここで、図４（ａ）に示すように原稿ＭＳの後端側の穿孔ｈが第２原稿端センサー２９の検出位置ｍ２を通って、第２原稿端センサー２９により原稿ＭＳの後端側の穿孔ｈが検出される状態では、図４（ｂ）に示すように第２原稿端センサー２９の検出信号Ｖ２が、原稿ＭＳの後端側の穿孔ｈの内周縁に応じて検出時点ｔｖ２ａで一旦オフとなってからオンに切替わり、この後に原稿ＭＳの後端の検出時点ｔｖ２２で再びオフとなる。
【００６０】
従って、第２原稿端センサー２９の検出信号Ｖ２が、該第２原稿端センサー２９による原稿ＭＳの後端の検出以前にオフとなっており、このオフの時点が原稿ＭＳの後端の検出時点ｔｖ２２に対応しない。ただし、穿孔ｈが原稿ＭＳの後端から一定幅（例えば２０〜３０ｍｍ）の範囲に形成され、かつ原稿ＭＳが一定速度搬送されているので、原稿ＭＳ後端側に穿孔ｈが形成されている場合は、第２原稿端センサー２９の検出信号Ｖ２が、一旦オフとなった時点ｔｖ２ａより予め設定された規定時間ｔｙが経過するまでに再びオフとなる。
【００６１】
このため、第２原稿端センサー２９の検出信号Ｖ２が一旦オフになり（ステップＳ１７「Ｙｅｓ」）、このオフの検出時点ｔｖ２ａから規定時間ｔｙが経過する前に（ステップＳ１９「Ｎｏ」）、検出信号Ｖ２がオンになって再びオフになった場合は（ステップＳ１８「Ｙｅｓ」）、この再びオフとなった時点を第２原稿端センサー２９による原稿ＭＳの後端の検出時点ｔｖ２２であるとみなして、この検出時点ｔｖ２２に対応する第２読取部４０による原稿ＭＳの読取終了時点ｔｓ２２を設定している（ステップＳ２２）。
【００６２】
そして、図４（ｂ）に示す読取開始時点ｔｓ２１から読取終了時点ｔｓ２２までを、第２読取部４０による原稿ＭＳの裏面の読取期間Ｔ２とし、読取期間Ｔ２において第２読取部４０により原稿ＭＳの裏面の画像を読取らせている。
【００６３】
なお、上記のように、第２原稿端センサー２９の検出信号Ｖ２が一旦オフになり（ステップＳ１７「Ｙｅｓ」）、このオフの検出時点ｔｖ２ａから規定時間ｔｙが経過する前に（ステップＳ１９「Ｎｏ」）、検出信号Ｖ２がオンになって再びオフになったときには（ステップＳ１８「Ｙｅｓ」）、読取制御部５１は、第２原稿端センサー２９の検出信号Ｖ２が最初にオンになった時点（ステップＳ１１で「Ｙｅｓ」）から、検出信号Ｖ２が再びオフになった時点（ステップＳ１８「Ｙｅｓ」）までの経過時間が、定型の各用紙サイズのそれぞれについて予め定められた経過時間のいずれかに一致する場合にのみ、上記のス
テップＳ２２及びステップＳ２１の処理が行われるようにしてもよい。
【００６４】
この場合、読取制御部５１は、定型の各用紙サイズ（Ａ４，Ｂ５，Ｂ４等）について上記予め定められた経過時間をそれぞれ記憶しているものとする。この経過時間は、定型の各用紙サイズからなる原稿ＭＳが原稿給送部６によって搬送される場合における、第２原稿端センサー２９により原稿ＭＳの先端部が検出されてから後端部が検出されるまでに要する各用紙サイズ別の時間である。また、読取制御部５１は、上記タイマーにより、第２原稿端センサー２９の検出信号Ｖ２が最初にオンになった時点（ステップＳ１１で「Ｙｅｓ」）から計時を開始させ、検出信号Ｖ２が上記再びオフになる時点（ステップＳ１８「Ｙｅｓ」）までの経過時間を計時させておく。
【００６５】
また、読取制御部５１は、第２原稿端センサー２９の検出信号Ｖ２が最初にオンになった時点（ステップＳ１１で「Ｙｅｓ」）から、検出信号Ｖ２が再びオフになった時点（ステップＳ１８「Ｙｅｓ」）までの経過時間が、定型の各用紙サイズについて予め定められた経過時間のいずれにも一致しないと判断した場合には、上記のステップＳ２０及びステップＳ２１の処理を行うようにする。
【００６６】
これにより、搬送される原稿ＭＳが定型の用紙サイズである場合にのみ上記ステップＳ２２の処理が行われることになるため、上記のように検出信号Ｖ２が再びオフになったときにおける当該オフ検出が、原稿ＭＳの本来の後端を示す確からしさを向上させることができる。
【００６７】
次に、読取制御部５１は、第１原稿端センサー２８の検出信号Ｖ１がオフになるのを待機し（ステップＳ２３「Ｎｏ」）、第１原稿端センサー２８の検出信号Ｖ１がオフになると（ステップＳ２３「Ｙｅｓ」）、このオフの時点より計時を開始して、この計時時間が規定時間ｔｙを超えるまで、第１原稿端センサー２８の検出信号Ｖ１がオンとなってから再びオフになるか否かを監視する（ステップＳ２４、２５）。
【００６８】
例えば、第１原稿端センサー２８の検出信号Ｖ１がオンオフになることなく、計時時間が規定時間ｔｙを超えると（ステップＳ２４「Ｎｏ」、ステップＳ２５「Ｙｅｓ」）、読取制御部５１は、ステップＳ２３において第１原稿端センサー２８の検出信号Ｖ１が最初にオフとなった時点を第１原稿端センサー２８による原稿ＭＳの後端の検出時点ｔｖ１２であるとみなし、この原稿ＭＳの後端の検出時点ｔｖ１２に対応する第１読取部３０による原稿ＭＳの読取終了時点ｔｓ１２を設定し（ステップＳ２６）、この読取終了時点ｔｓ１２で読取期間Ｔ１を示す同期信号Ｖｓｙ１をオフにして、第１読取部３０による原稿ＭＳの読取を終了させる（ステップＳ２７）。
【００６９】
図４（ａ）に示すように原稿ＭＳの後端側の穿孔ｈが第１原稿端センサー２８の検出位置ｍ１から外れて、第１原稿端センサー２８により原稿ＭＳの後端側の穿孔ｈが検出されない状態では、図４（ｃ）に示すように第１原稿端センサー２８の検出信号Ｖ１が、該第１原稿端センサー２８による原稿ＭＳの後端の検出時点ｔｖ１２でオフとなった後に、オンオフになることはない。このため、第１原稿端センサー２８の検出信号Ｖ１が最初にオフとなった時点を第１原稿端センサー２８による原稿ＭＳの後端の検出時点ｔｖ１２であるとみなしている。
【００７０】
そして、第１原稿端センサー２８による原稿ＭＳの後端の検出時点ｔｖ１２に一定時間Δｔｔを加算して、第１読取部３０による読取終了時点ｔｓ１２を設定し、読取開始時点ｔｓ１１から読取終了時点ｔｓ１２までを、第１読取部３０による原稿ＭＳの裏面の読取期間Ｔ２とし、読取期間Ｔ２において第１読取部３０により原稿ＭＳの裏面の画像を読取らせている。
【００７１】
これにより、上記ステップＳ１１〜Ｓ２２の処理により、第２原稿端センサー２９により原稿ＭＳの後端側の穿孔ｈが検出されたか否かにかかわらず、第２原稿端センサー２９による原稿ＭＳの後端の検出時点が適確に識別されて、原稿ＭＳの裏面の読取期間Ｔ２が正確に設定されている。また、第１原稿端センサー２８により原稿ＭＳの後端側の穿孔ｈが検出されなかった場合は、上記ステップＳ２３〜Ｓ２７の処理により、第１原稿端センサー２８による原稿ＭＳの後端の検出時点が適確に識別されて、原稿ＭＳの表面の読取期間Ｔ１が正確に設定される。このため、読取期間Ｔ１と読取期間Ｔ２とが一致し、第１読取部３０により読取られた原稿ＭＳの表面の画像の長さと第２読取部４０により読取られた原稿ＭＳの裏面の画像の長さも一致する。
【００７２】
一方、計時時間が規定時間ｔｙを超える前に、第１原稿端センサー２８の検出信号Ｖ１がオンになった場合（ステップＳ２４「Ｙｅｓ」、ステップＳ２５「Ｎｏ」）、読取制御部５１は、ステップＳ１５において設定された第１読取部３０による原稿ＭＳの読取開始時点ｔｓ１１に対して第２読取部４０による原稿ＭＳの裏面の読取期間Ｔ２を加算した時点を、第１読取部３０による原稿ＭＳの読取終了時点ｔｓ１２として求めて設定し（ステップＳ２８）、この読取終了時点ｔｓ１２で読取期間Ｔ１を示す同期信号Ｖｓｙ１をオフにして、第１読取部３０による原稿ＭＳの読取を終了させる（ステップＳ２７）。
【００７３】
図５（ａ）に示すように原稿ＭＳの後端側の穿孔ｈが第１原稿端センサー２８の検出位置ｍ１を通って、第１原稿端センサー２８により原稿ＭＳの後端側の穿孔ｈが検出される状態では、図５（ｃ）に示すように第１原稿端センサー２８の検出信号Ｖ１が、原稿ＭＳの後端側の穿孔ｈの内周縁に応じて検出時点ｔｖ１ａで一旦オフとなってからオンに切替わり、この後に原稿ＭＳの後端の検出時点ｔｖ１２で再びオフとなる。従って、第１原稿端センサー２８の検出信号Ｖ１が、該第１原稿端センサー２８による原稿ＭＳの後端の検出以前にオフとなっており、このオフの時点が原稿ＭＳの後端の検出時点ｔｖ１２に対応せず、このオフの時点を読取期間の設定のために用いることができない。
【００７４】
しかしながら、上記ステップＳ１１〜Ｓ２２の処理により、第２原稿端センサー２９により原稿ＭＳの後端側の穿孔ｈが検出されたか否かにかかわらず、原稿ＭＳの裏面を読取る第２読取部４０の読取期間Ｔ２が正確に設定されている。また、原稿ＭＳの長さが該原稿ＭＳの表面と裏面で同一であるから、原稿ＭＳの表面の読取期間Ｔ１を該原稿ＭＳの裏面の読取期間Ｔ２と等しく設定しても差し支えない。
【００７５】
このため、図４（ｃ）に示すように第１読取部３０による原稿ＭＳの表面の読取開始時点ｔｓ１１に対して第２読取部４０の読取期間Ｔ２を加算した時点を、第１読取部３０による原稿ＭＳの読取終了時点ｔｓ１２として求めて、読取開始時点ｔｓ１１から読取終了時点ｔｓ１２までの第１読取部３０の読取期間Ｔ１を設定している。
【００７６】
この場合は、読取期間Ｔ１が読取期間Ｔ２に等しく設定されるため、第１読取部３０により読取られた原稿ＭＳの表面の画像の長さと第２読取部４０により読取られた原稿ＭＳの裏面の画像の長さが一致する。
【００７７】
このように第１実施形態では、原稿ＭＳの後端側の穿孔ｈが第２原稿端センサー２９の検出位置ｍ２を通って、第２原稿端センサー２９により原稿ＭＳの後端側の穿孔ｈが検出された場合は、第２原稿端センサー２９の検出信号Ｖ２が一旦オフになり、このオフの検出時点ｔｖ２ａから規定時間ｔｙが経過する前に、検出信号Ｖ２がオンになって、更に検出信号Ｖ２が再びオフになることから、この再びオフとなった時点を第２原稿端センサー２９による原稿ＭＳの後端の検出時点ｔｖ２２であるとみなして、第２読取部４０による原稿ＭＳの裏面の読取期間Ｔ２を設定している。これにより、原稿ＭＳの表面の画像の読取
期間Ｔ１と原稿ＭＳの裏面の画像の読取期間Ｔ２とを一致させて、第１読取部３０により読取られた原稿ＭＳの表面の画像の長さと第２読取部４０により読取られた原稿ＭＳの裏面の画像の長さを一致させることができる。
【００７８】
また、原稿ＭＳの後端側の穿孔ｈが第１原稿端センサー２８の検出位置ｍ１を通って、第１原稿端センサー２８により原稿ＭＳの後端側の穿孔ｈが検出された場合は、第１読取部３０による原稿ＭＳの表面の読取開始時点ｔｓ１１に対して第２読取部４０の読取期間Ｔ２を加算した時点を、第１読取部３０による原稿ＭＳの読取終了時点ｔｓ１２として求めて設定している。このため、読取期間Ｔ１が読取期間Ｔ２に等しく設定され、第１読取部３０により読取られた原稿ＭＳの表面の画像の長さと第２読取部４０により読取られた原稿ＭＳの裏面の画像の長さが一致する。
＜第２実施形態＞
【００７９】
次に、本発明に係る第２実施形態の原稿読取装置について説明する。第２実施形態の原稿読取装置５は、第１実施形態と同様に、図１及び図３に示す画像形成装置１に適用され、図２に示す構成を有しているが、第１読取部３０による原稿ＭＳの読取終了時点ｔｓ１２の設定方法が第１実施形態とは異なる。
【００８０】
図７は、第２実施形態における第１読取部３０による原稿ＭＳの読取終了時点ｔｓ１２の設定方法を示すフローチャートである。なお、図７に示すフローチャートの処理は、図６に示すステップＳ１１〜Ｓ２２に引き続く処理であり、よって第２実施形態では、図６に示すステップＳ１１〜Ｓ２２の処理が第１実施形態と同様に行われる。
【００８１】
図６に示すステップＳ１１〜Ｓ２２の処理では、第２読取部４０による原稿ＭＳの読取開始時点ｔｓ２１及び読取終了時点ｔｓ２２を設定して、読取期間Ｔ２において第２読取部４０により原稿ＭＳの裏面の画像を読取らせ、また第１読取部３０による原稿ＭＳの読取開始時点ｔｓ１１を設定している。これに引き続く図７に示すフローチャートの処理では、第１読取部３０による原稿ＭＳの読取終了時点ｔｓ１２を設定して、読取期間Ｔ１において第１読取部３０により原稿ＭＳの表面の画像を読取らせる。
【００８２】
読取制御部５１は、第１原稿端センサー２８の検出信号Ｖ１がオフになるのを待機しており（ステップＳ３１「Ｎｏ」）、第１原稿端センサー２８の検出信号Ｖ１がオフになると（ステップＳ３１「Ｙｅｓ」）、このオフの時点より計時を開始して、この計時時間が規定時間ｔｙを超えるまで、第１原稿端センサー２８の検出信号Ｖ１がオンとなってから再びオフになるか否かを監視する（ステップＳ３２、３３）。
【００８３】
例えば、第１原稿端センサー２８の検出信号Ｖ１がオンオフになることなく、計時時間が規定時間ｔｙを超えると（ステップＳ３２「Ｎｏ」、ステップＳ３３「Ｙｅｓ」）、読取制御部５１は、ステップＳ３１において第１原稿端センサー２８の検出信号Ｖ１が最初にオフとなった時点を第１原稿端センサー２８による原稿ＭＳの後端の検出時点ｔｖ１２であるとみなし、この原稿ＭＳの後端の検出時点ｔｖ１２に対応する第１読取部３０による原稿ＭＳの読取終了時点ｔｓ１２を設定し（ステップＳ３４）、この読取終了時点ｔｓ１２で第１読取部３０による原稿ＭＳの読取を終了させる（ステップＳ３５）。
【００８４】
すなわち、図４（ａ）に示すように原稿ＭＳの後端側の穿孔ｈが第１原稿端センサー２８の検出位置ｍ１から外れて、第１原稿端センサー２８により原稿ＭＳの後端側の穿孔ｈが検出されない状態では、図４（ｃ）に示すように第１原稿端センサー２８による原稿ＭＳの後端の検出時点ｔｖ１２に一定時間Δｔｔを加算して、第１読取部３０による読取終了時点ｔｓ１２を設定し、読取開始時点ｔｓ１１から読取終了時点ｔｓ１２までを第１読取部３０による原稿ＭＳの裏面の読取期間Ｔ１とする。
【００８５】
また、計時時間が規定時間ｔｙを超える前に、第１原稿端センサー２８の検出信号Ｖ１がオンとなってから再びオフになった場合（ステップＳ３２「Ｙｅｓ」、ステップＳ３３「Ｎｏ」）、読取制御部５１は、この検出信号Ｖ１が再びオフとなった時点を第１原稿端センサー２８による原稿ＭＳの後端の検出時点ｔｖ１２であるとみなし、この原稿ＭＳの後端の検出時点ｔｖ１２に基づき第１読取部３０による原稿ＭＳの読取終了時点ｔｓ１２を設定し（ステップＳ３６）、この読取終了時点ｔｓ１２で第１読取部３０による原稿ＭＳの読取を終了させる（ステップＳ３５）。
【００８６】
図５（ａ）に示すように原稿ＭＳの後端側の穿孔ｈが第１原稿端センサー２８の検出位置ｍ１を通って、第１原稿端センサー２８により原稿ＭＳの後端側の穿孔ｈが検出される状態では、図５（ｃ）に示すように第１原稿端センサー２８の検出信号Ｖ１が、原稿ＭＳの後端側の穿孔ｈの内周縁に応じて検出時点ｔｖ１ａで一旦オフとなってからオンに切替わり、この後に原稿ＭＳの後端の検出時点ｔｖ１２で再びオフとなる。従って、第１原稿端センサー２８の検出信号Ｖ１が、該第１原稿端センサー２８による原稿ＭＳの後端の検出以前にオフとなっており、このオフの時点が原稿ＭＳの後端の検出時点ｔｖ１２に対応せず、このオフの時点を読取期間の設定のために用いることができない。
【００８７】
このため、第１原稿端センサー２８の検出信号Ｖ１が一旦オフになり（ステップＳ３１「Ｙｅｓ」）、このオフの時点から規定時間ｔｙが経過する前に（ステップＳ３２「Ｎｏ」）、検出信号Ｖ１がオンとなってから再びオフになると（ステップＳ３２「Ｙｅｓ」）、この再びオフとなった時点を第１原稿端センサー２８による原稿ＭＳの後端の検出時点ｔｖ１２であるとみなしている。そして、読取開始時点ｔｓ１１から読取終了時点ｔｓ１２までの読取期間Ｔ１において、第１読取部３０により原稿ＭＳの裏面の画像を読取らせている。
【００８８】
このように第２実施形態では、原稿ＭＳの後端側の穿孔ｈが第１原稿端センサー２８の検出位置ｍ１を通って、第１原稿端センサー２８により原稿ＭＳの後端側の穿孔ｈが検出された場合、第１原稿端センサー２８の検出信号Ｖ１が一旦オフになり、このオフの検出時点ｔｖ１ａから規定時間ｔｙが経過する前に、検出信号Ｖ１がオンになって、更に検出信号Ｖ１が再びオフになった時点を第１原稿端センサー２８による原稿ＭＳの後端の検出時点ｔｖ１２であるとみなして、第１読取部３０による原稿ＭＳの裏面の読取期間Ｔ１を設定している。従って、第２読取部４０による原稿ＭＳの裏面の読取期間Ｔ２の設定と同様の手順で、第１読取部３０による原稿ＭＳの表面の読取期間Ｔ１を設定している。これにより、第１読取部３０により読取られた原稿ＭＳの表面の画像の長さと第２読取部４０により読取られた原稿ＭＳの裏面の画像の長さを一致させることができる。
【００８９】
なお、上記実施形態では、原稿読取装置５の読取制御部５１により図６及び図７のフローチャートの処理を実行しているが、画像形成装置１の主制御部６１によっても同様の処理を実行することが可能である。この場合、主制御部６１が、特許請求の範囲における制御部の一例となる。
【００９０】
また、図１乃至図７を用いて説明した構成及び処理は、本発明の一実施形態に過ぎず、本発明を当該構成及び処理に限定する趣旨ではない。
【符号の説明】
【００９１】
１                画像形成装置
２                装置本体
５                原稿読取装置
６                原稿給送部
１３              定着部
１４              給紙部
４７              操作部
２８              第１原稿端センサー
２９              第２原稿端センサー
３０              第１読取部
４０              第２読取部
５１              読取制御部
【図１】
0006365439.tif 000002
【図２】
0006365439.tif 000003
【図３】
0006365439.tif 000004
【図４】
0006365439.tif 000005
【図５】
0006365439.tif 000006
【図６】
0006365439.tif 000007
【図７】
0006365439.tif 000008